(57)【要約】【課題】物品の運搬時における保形性を向上させ、組立作業性を改善し、材料の使用量も抑制する。【解決手段】底板１の周囲に角部を挟む一対の側板２及び端板３を連設し、側板２の側縁から外折片４及び内折片５を順次延出し、端板３の側部に差込スリット３ａを設け、外折片４を端板３の外面に沿わせ、内折片５を差込スリット３ａに差し込んで、端板３の内面に沿わせるように折り曲げた段ボール製トレーにおいて、内折片５の基端となる折目線５ａを、外折片４の上外側から下内側へかけて傾斜させると共に、差込スリット３ａを、端板３の上外側から下内側へかけて傾斜させ、内折片５の先端部を、底板１の端板３との境界に沿った係止スリット１ａに係止する。【選択図】図３
2010228787.tif 000002
【特許請求の範囲】
【請求項１】
底板(1)の周囲に角部を挟む各一対の側板(2)及び端板(3)を連設し、側板(2)の側縁から外折片(4)及び内折片(5)を順次延出し、端板(3)の側部に差込スリット(3a)を設け、外折片(4)を端板(3)の外面に沿わせ、内折片(5)を差込スリット(3a)に差し込んで、端板(3)の内面に沿わせるように折り曲げた段ボール製トレーにおいて、
前記内折片(5)の基端となる折目線(5a)を、外折片(4)の上外側から下内側へかけて傾斜させると共に、差込スリット(3a)を、端板(3)の上外側から下内側へかけて傾斜させ、内折片(5)の先端部を、底板(1)の端板(3)との境界に沿った係止スリット(1a)に係止したことを特徴とする段ボール製トレー。
【発明の詳細な説明】
【技術分野】
【０００１】
この発明は、物品の運搬や保管に使用する段ボール製トレーに関するものである。
【背景技術】
【０００２】
従来、下記特許文献１には、図５に示すような段ボール製トレーが記載されている。このトレーは、底板５１の周囲に角部を挟む各一対の側板５２及び端板５３を連設し、側板５２の両側から外折片５４及び内折片５５を順次延出し、端板５３の両側部に差込スリット５３ａを設けたものとされている。内折片５５の基端となる折目線及び差込スリット５３ａは、鉛直方向へ向いている。
【０００３】
このトレーの組み立てに際しては、外折片５４を端板５３の外面に沿わせ、内折片５５を差込スリット５３ａに差し込んで、端板５３の内面に沿わせるように折り曲げる。
【０００４】
そして、内折片５５の先端部に設けた係止突起５５ａを、側板５２の両側部に設けた係止スリット５２ａに係止することにより、内折片５５の反発を抑制して、差込スリット５３ａから内折片５５を抜け止めする。
【先行技術文献】
【特許文献】
【０００５】
【特許文献１】実開昭５９−１３６４２０号公報
【発明の概要】
【発明が解決しようとする課題】
【０００６】
しかしながら、上記のようなトレーでは、収納物の荷重が底板５１に作用した状態で、側板５２又は端板５３に手を掛けて持ち上げようとすると、側板５２又は端板５３の撓みに伴い、係止突起５５ａが係止スリット５２ａから外れ、内折片５５が差込スリット５３ａから抜けて、側板５２と端板５３の起立状態が維持できなくなることがある。
【０００７】
また、組み立てに際し、相反する向きに内折片５５を折り曲げ、各側板５２の内面をそれぞれ視認して、係止突起５５ａを係止スリット５２ａに係止する必要があるため、作業性がよくないという問題がある。
【０００８】
また、側板５２と端板５３の高さが低い場合、組立前のブランクにおいて、内折片５５を端板５３よりも突出させる必要があるため、材料の段ボールを打ち抜く際、各トレーのブランクを効率的に配置できなくなり、材料に無駄が生じるという問題がある。
【０００９】
そこで、この発明は、物品の運搬時における保形性を向上させ、組立作業性を改善し、材料の使用量も抑制することを課題とする。
【課題を解決するための手段】
【００１０】
上記課題を解決するため、この発明では、底板の周囲に角部を挟む各一対の側板及び端板を連設し、側板の側縁から外折片及び内折片を順次延出し、端板の側部に差込スリットを設け、外折片を端板の外面に沿わせ、内折片を差込スリットに差し込んで、端板の内面に沿わせるように折り曲げた段ボール製トレーにおいて、前記内折片の基端となる折目線を、外折片の上外側から下内側へかけて傾斜させると共に、差込スリットを、端板の上外側から下内側へかけて傾斜させ、内折片の先端部を、底板の端板との境界に沿った係止スリットに係止したのである。
【発明の効果】
【００１１】
この発明に係る段ボール製トレーでは、斜め下方へ折り曲げた内折片の先端部を、側板ではなく、底板の端板との境界に沿った係止スリットに係止しているので、持ち運びに際し、側板又は端板に手を掛けて持ち上げ、側板又は端板が撓んでも、内折片が係止スリットから外れることがなく、組立形状が維持される。
【００１２】
また、組み立てに際し、差込スリットに差し込んだ内折片を押し下げるだけで、係止スリットに係止することができ、容易に組み立てることができる。
【００１３】
また、側板と端板の高さが低い場合でも、ブランクにおいて内折片を端板より突出させる必要がなく、材料の段ボールを効率的に使用することができる。
【図面の簡単な説明】
【００１４】
【図１】この発明の実施形態に係る段ボール製トレーのブランクを示す図
【図２】同上の組立過程を示す斜視図
【図３】同上の組立状態を示す斜視図
【図４】同上の角部拡大斜視図
【図５】従来の段ボール製トレーを示す斜視図
【発明を実施するための形態】
【００１５】
以下、この発明の実施形態を添付図面に基づいて説明する。
【００１６】
このトレーは、図１に示すような段ボールのブランクから形成される。このブランクでは、長方形の底板１の周囲各辺のうち、対向する長辺に側板２が、短辺に端板３が連設され、側板２の両側縁に外折片４が連設されている。外折片４は、直角三角形とされ、側板２との境界に対し斜辺が４５°傾斜している。
【００１７】
外折片４の斜辺中間部には、この斜辺に対し垂直方向に内折片５が連設され、その基部には、外折片４の斜辺上の切目入り罫線と、この罫線に対し段ボールの厚さ分の間隔をあけて平行に延びる罫線とから成る２条の折目線５ａが入れられている。内折片５の先端角部は、斜めに切断されている。
【００１８】
端板３の両側部には、差込スリット３ａが設けられ、差込スリット３ａは、組立時に上方となる先端寄りが外側に、下方となる基端寄りが内側に位置するように、底板１との境界に対して４５°傾斜している。底板１の端板３との境界に沿った端縁両側部には、係止スリット１ａが設けられている。
【００１９】
このブランクからトレーを組み立てるには、図２乃至図４に示すように、底板１から各一対の側板２及び端板３を起立させて、外折片４を端板３の外面に沿わせ、内折片５を折目線５ａで折り曲げつつ、先端上角部から差込スリット３ａに差し込んで、端板３の内面に沿わせ、内折片５の先端下角部を係止スリット１ａに係止する。
【００２０】
上記のようなトレーでは、斜め下方へ折り曲げた内折片５の先端下角部を、側板２ではなく、底板１の端板３との境界に沿った係止スリット１ａに係止しているので、持ち運びに際し、側板２又は端板３に手を掛けて持ち上げ、側板２又は端板３が撓んでも、内折片５が係止スリット１ａから外れることがなく、組立形状が維持される。
【００２１】
また、組み立てに際し、差込スリット３ａに差し込んだ内折片５を押し下げるだけで、係止スリット１ａに係止することができ、容易に組み立てることができる。
【００２２】
また、側板２と端板３の高さが低い場合でも、ブランクにおいて内折片５を端板３より突出させる必要がなく、材料の段ボールを効率的に使用することができる。
【００２３】
なお、上記実施形態では、底板１が長方形のものを例示したが、底板１を四隅が面取りされた八角形等としたトレーにおいても、側板２を両側方に延長することにより、同様の差込構造を採用することができる。
【００２４】
また、上面が開口したトレーについて例示したが、身箱にヒンジを介して連設される蓋を同様のトレーとしてもよく、この場合、蓋の先端側に位置する二つの角部にのみ、上記のような差込構造を適用してもよい。
【符号の説明】
【００２５】
１  底板
１ａ  係止スリット
２  側板
３  端板
３ａ  差込スリット
４  外折片
５  内折片
５ａ  折目線
【図１】
2010228787.tif 000003
【図２】
2010228787.tif 000004
【図３】
2010228787.tif 000005
【図４】
2010228787.tif 000006
【図５】
2010228787.tif 000007